(57)【要約】【課題】本発明の実施形態が解決しようとする課題は、既設システムから新設システムへデータを変換する際、データの変換作業を自動で行うことのできるデータ変換装置を提供することである。【解決手段】実施形態のデータ変換装置は、取得部、表示部、変換部を備える。取得部は、入力部により選択される既設情報を取得する。表示部は、既設情報に基づき、変換可能な機能を表示する。また取得部は、前記変換可能な機能のうち、入力部により選択される機能を取得する。変換部は、変換する機能の変換処理を行う。【選択図】  図１
2018060266.tif 000002
【特許請求の範囲】
【請求項１】
入力部により選択される既設情報を取得する取得部と、
前記既設情報に対応する変換可能な機能に関するデータべ―ス、及び前記既設情報に基
づき、変換可能な機能を表示する表示部と、
前記取得部が、前記変換可能な機能のうち、入力部により選択される機能を取得し、
前記選択される機能の変換処理を行う変換部と、
を備えるデータ変換装置。
【請求項２】
前記既設情報が、設備機器の制御または出力に関する情報である設定データの場合、前
記変換部は、前記設定データの変換処理を行う前に逆変換を行う
請求項１に記載のデータ変換装置。
【請求項３】
前記取得部が取得する前記選択される機能に基づき、前記選択される機能の変換処理を
行う際に必要なファイルの有無を判断する判断部と、
前記判断部が、必要なファイルが不足していると判断する場合、その旨を表示する表示
部と、
を備える請求項１または２に記載のデータ変換装置。
【請求項４】
前記選択される機能の変換時に不具合がある場合、その旨を通知する出力部
を備える請求項１から３のいずれか一つに記載のデータ変換装置。
【請求項５】
データ変換装置を、
入力部により選択される既設情報を取得する取得手段と、
前記既設情報に基づき、変換可能な機能を表示する表示手段と、
前記取得手段が、前記変換可能な機能のうち、入力部により選択される機能を取得し、
前記選択される機能の変換処理を行う変換手段と、
して機能させるためのデータ変換プログラム。
【請求項６】
データ変換装置を用いて、
入力部により選択される既設情報を取得するステップと、
前記既設情報に基づき、変換可能な機能を表示するステップと、
前記変換可能な機能のうち、入力部により選択される機能を取得するステップと、
前記選択される機能の変換処理を行うステップと、
を実行するデータ変換方法。
【発明の詳細な説明】
【技術分野】
【０００１】
本発明の実施形態は、データ変換装置、データ変換プログラム、データ変換方法に関す
る。
【背景技術】
【０００２】
ビル等のエネルギー使用状況等について監視する中央監視装置の更新を行う際、既設シ
ステムから新設システムにデータを変換する必要がある。既設のファイルを元に、エンジ
ニアリング作業を手入力で行っていたため、人間系のミスの混入や、作業時間が問題とな
っていた。
【先行技術文献】
【特許文献】
【０００３】
【特許文献１】特開２００４−１１０２３３号公報
【発明の概要】
【発明が解決しようとする課題】
【０００４】
既設システムから新設システムへデータの変換をする際、人間系のミスの混入を防ぎ、
作業時間を削減することが要求されており、この要求に対応できる装置が望まれている。
【０００５】
本発明の実施形態が解決しようとする課題は、既設システムから新設システムへデータ
を変換する際、データの変換作業を自動で行うことのできるデータ変換装置を提供するこ
とである。
【課題を解決するための手段】
【０００６】
上記課題を解決するために、実施形態のデータ変換装置は、取得部、表示部、変換部を
備える。取得部は、入力部により選択される既設情報を取得する。表示部は、既設情報に
基づき、変換可能な機能を表示する。また取得部は、前記変換可能な機能のうち、入力部
により選択される機能を取得する。変換部は、変換する機能の変換処理を行う。
【図面の簡単な説明】
【０００７】
【図１】本発明の実施形態に係るデータ変換装置の既設システム構成の具体例を示す図である。
【図２】本発明の実施形態に係るデータ変換装置の新設システム構成の具体例を示す図である。
【図３】本発明の実施形態に係るデータ変換装置が変換するデータのイメージ図である。
【図４】本発明の実施形態に係るデータ変換装置の機能の構成図である。
【図５】本発明の実施形態に係るデータ変換装置の運用に関するフローチャートである。
【発明を実施するための形態】
【０００８】
以下、図面を参照して発明を実施するための実施形態について説明する。
【０００９】
（実施形態）
（構成）
図１に、本実施形態に係るデータ変換前の全体のシステム（既設システムという）の構
成の具体例を示す。また図２に、本実施形態に係るデータ変換中の全体のシステム（新設
システムという）の構成の具体例を示す。既設システムは、例えば、データ変換装置１、
既設サーバ２１、既設ローカルコントローラ３１１〜３１３からなる。新設システムは、
例えば、データ変換装置１、新設サーバ２２、新設ローカルコントローラ３２１〜３２３
からなる。
【００１０】
図１において、データ変換装置１、既設サーバ２１、ＨＭＩ（ヒューマンマシンインタ
ーフェース）５、既設ローカルコントローラ３１１〜３１３は同一のネットワークに接続
される。同一のネットワークとは、使用する通信プロトコルが同一である。ここで使用す
る通信プロトコルは例えば、ＢＡＣｎｅｔ（登録商標）、Ｅｔｈｅｒｎｅｔ（登録商標）
、ＴＣＰ／ＩＰである。
【００１１】
同様に、図２において、データ変換装置１、新設サーバ２２、ＨＭＩ（ヒューマンマシ
ンインターフェース）５、新設ローカルコントローラ３２１〜３２３は同一のネットワー
クに接続される。
【００１２】
データ変換装置１は、既設サーバ２１または既設ローカルコントローラ３１１〜３１３
から変換するデータを取得し、データの変換を行い、新設サーバ２２または新設ローカル
コントローラ３２１〜３２３に出力する。データは主に、設定データとファイリングデー
タがある。設定データとは、設備機器の制御または出力に関する情報である。ファイリン
グデータとは、計測されるデータ、入出力の履歴、表のデータを含む情報である。
【００１３】
設定データ及びファイリングデータの変換のイメージ図を図３に示す。既設サーバ２１
に記憶される設定データまたはファイリングデータを、新設サーバ２２または新設ローカ
ルコントローラ３２１〜３２３に変換することを示す。ファイリングデータは基本的に新
設サーバ２２に変換されるが、設定データの変換先は、データの種類により異なる。
【００１４】
ビルの中央監視室等に設置されるＨＭＩ５は、空調機器や照明設備などの設備機器４１
〜４３を制御する信号を、既設ローカルコントローラ３１１〜３１３に送信する。既設サ
ーバ２は、設定データ及びファイリングデータを記憶する。既設ローカルコントローラ３
１１〜３１３は、設定データを記憶する。また、既設ローカルコントローラ３１１〜３１
３は、ＨＭＩ５から受信する信号によって、設備機器４１〜４３を制御する。
【００１５】
新しいシステムでも同様に、ＨＭＩ５は、設備機器４１〜４３を制御する信号を、新設
ローカルコントローラ３２１〜３２３に送信する。新設サーバ２２は、設定データ及びフ
ァイリングデータを記憶する。新設ローカルコントローラ３２１〜３２３は、設定データ
を記憶する。また、新設ローカルコントローラ３２１〜３２３は、ＨＭＩ５から受信する
信号によって、設備機器４１〜４３を制御する。
【００１６】
図４に、本実施形態に係るデータ変換装置１の構成図の例を示す。データ変換装置１は
、取得部１１、記憶部１２、判断部１３、変換部１４、出力部１５、表示部１６、入力部
１７を備える。
【００１７】
取得部１１は、ユーザにより入力または選択される既設情報を取得する。既設情報とは
、例えば、ユーザにより選択される既設のシステムの製番、フォルダ、変換する機能、変
換前の設定データまたはファイリングデータである。既設サーバ２１に記憶される設定デ
ータまたはファイリングデータを取得する際は、データ変換装置１は、図１のように、既
設サーバ２１のつながるネットワークに接続される。
【００１８】
記憶部１２は、取得部１１で取得する既設情報を記憶する。また、既設情報と変換可能
な機能の対応付けに関するデータベース、及び変換する際のルールを記憶する。
【００１９】
判断部１３は、取得部１１で取得する設定データまたはファイリングデータの内容に基
づき、変換する内容等を判断する。
【００２０】
変換部１４は、判断部１３で判断される変換方法で設定データまたはファイリングデー
タを変換する。変換される設定データは、記憶部１２で記憶される。
【００２１】
出力部１５は、記憶部１２で記憶される、または変換部１４で変換される設定データま
たはファイリングデータを、新設サーバ２２または新設ローカルコントローラ３２１〜３
２３に出力する。その際、データ変換装置１は、図２のように、新設サーバ２２のつなが
るネットワークに接続される。
【００２２】
表示部１６は、変換に必要なファイルがない場合または想定外のことが起こる場合に、
表示することで利用者に知らせる。
【００２３】
入力部１７は、ユーザにより既設情報を入力する部分である。例えば、キーボードやマ
ウス、タッチパネルである。
【００２４】
（作用）
図５に、本実施形態のデータ変換装置１の運用に係るフローチャートを示す。まず、製
番が選択され、取得部１１が取得する（Ｓ１１）。そして、変換前及び変換先のフォルダ
が選択され、取得部１１が取得する（Ｓ１２）。変換前のフォルダに含まれるデータには
、設定データとファイリングデータがある。
【００２５】
選択される変換前のフォルダが設定データの場合（Ｓ１３）、判断部１３が、Ｓ１１、
Ｓ１２において選択される製番及びフォルダの種類から、変換する機能を判断する。そし
て、表示部１６が、その変換する機能を一覧表示する。表示される変換する機能のうち、
ユーザにより一部または全部選択され、取得部１１が、その選択される変換する機能を取
得する（Ｓ１４）。
【００２６】
そして、判断部１３が、選択される機能を変換するために必要なファイルの有無を確認
し、ファイルが不足している場合には表示部１６がウィンドウ等を表示してファイルがな
いことを伝える。たとえば、ファイルが不足している場合「×」、充足している場合「○
」で表示する。
【００２７】
その後、変換部１４が逆変換をする（Ｓ１５）。複雑なデータを簡略化するためである
。次に、判断部１３が変換処理を行う（Ｓ１６）。そして、不具合がなければ、変換部１
４により変換が実行される（Ｓ１７）。すると、出力部１５が、設定データファイルを選
択されるフォルダに作成する（Ｓ１９）。
【００２８】
一方、変換処理に不具合がある場合、表示部１６がエラーログを表示、あるいは出力部
１５がエラーログのフォルダを作成する（Ｓ１８）。不具合がある場合とは例えば、変換
に必要な情報が足りない場合や、変換先の空き容量が不足している場合などである。エラ
ーログが出力される場合は、不具合を解消し、再度変換処理を実行する。
【００２９】
選択される変換前のフォルダがファイリングデータの場合（Ｓ２０）、判断部１３が、
Ｓ１１、Ｓ１２において選択される製番及びフォルダの種類から、変換する機能を判断す
る。そして、表示部１６が、その変換する機能を一覧表示する。表示される変換する機能
のうち、ユーザにより一部または全部選択され、取得部１１が、その選択される変換する
機能を取得する（Ｓ２１）。
【００３０】
そして、判断部１３が、選択される機能を変換するために必要なファイルの有無を確認
し、ファイルが不足している場合には表示部１６がウィンドウ等を表示してファイルがな
いことを伝える。たとえば、ファイルが不足している場合「×」、充足している場合「○
」で表示する。
【００３１】
その後、判断部１３が変換処理を行う（Ｓ２２）。そして、不具合がなければ、変換部
１４により変換が実行される（Ｓ２３）。すると、出力部１５が、ファイリングデータフ
ァイルを選択されるフォルダに作成する（Ｓ２５）。
【００３２】
一方、変換処理に不具合がある場合、表示部１６がエラーログを表示、あるいは出力部
１５がエラーログのフォルダを作成する（Ｓ２４）。不具合がある場合とは例えば、変換
に必要な情報が足りない場合や、変換先の空き容量が不足している場合などである。エラ
ーログが出力される場合は、不具合を解消し、再度変換処理を実行する。
【００３３】
（効果）
本実施形態によれば、データ変換装置を用いて、既設システムから新設システムへデー
タを変換する作業を行うことで、人間系のミスを防ぎ、安全にデータを変換することがで
きる。また、作業時間を削減することができる。
【００３４】
なお、本実施形態に記載するＨＭＩ５は、既設システムも新設システムも同様であるが
、更新してもよい。
【００３５】
また、既設システムの構成は、記載内容以外の構成が含まれていてもよい。例えば、既
設ローカルコントローラや既設サーバではなく、サーバステーションなどでデータを記憶
していてもよい。その場合、サーバステーションで記憶されるデータを、本実施形態に係
るデータ変換装置を用いて変換することができる。
【００３６】
また、本実施形態に係る既設システムにおいて、ゲートウェイ装置が使用されていても
よい。その場合、既設システムにおいてデータを記憶しているところが複数あるとしても
、本実施形態に係るデータ変換装置がその既設システムにおけるデータを取得することが
できれば、データを変換することができる。
【００３７】
また、本実施形態に係るシステムは、図１及び図２に記載する構成以外の構成を含んで
いてもよい。また、設備機器４１〜４３、既設ローカルコントローラ３１１〜３１３、新
設ローカルコントローラ３２１〜３２３は、３個に限らず、１つ以上接続することができ
る。また、既設ローカルコントローラあるいは新設ローカルコントローラと、設備機器と
の関係は１対１に限らず、１つの既設ローカルコントローラあるいは新設ローカルコント
ローラに複数の設備機器が接続されていてもよい。
【００３８】
また、本実施形態に係る記憶部１２は、データ変換装置１が備えてもよいし、クラウド
上にあってもよい。
【００３９】
また、本実施形態に係るシステムについて、既設ローカルコントローラあるいは新設ロ
ーカルコントローラと設備機器の間に、リモートステーション等の機器を介してもよい。
また、各機器との通信は、有線だけでなく、無線通信で行われてもよい。
【００４０】
本発明のいくつかの実施形態を説明したが、これらの実施形態は、例として提示したも
のであり、発明の範囲を限定することは意図していない。これら新規な実施形態は、その
他の様々な形態で実施されることが可能であり、発明の要旨を逸脱しない範囲で、種々の
省略、置き換え、変更を行うことができる。これら実施形態やその変形は、発明の範囲や
要旨に含まれるとともに、特許請求の範囲に記載された発明とその均等の範囲に含まれる
。
【符号の説明】
【００４１】
１    データ変換装置
１１  取得部
１２  記憶部
１３  判断部
１４  変換部
１５  出力部
１６  表示部
１７  入力部
２１  既設サーバ
２２  新設サーバ
３１１〜３１３    既設ローカルコントローラ
３２１〜３２３    新設ローカルコントローラ
４１〜４３  設備機器
５    ＨＭＩ（ヒューマンマシンインターフェース）
【図１】
2018060266.tif 000003
【図２】
2018060266.tif 000004
【図３】
2018060266.tif 000005
【図４】
2018060266.tif 000006
【図５】
2018060266.tif 000007